(57)【要約】【課題】種々のタイプのハンドル移動型又は固定型ベビーカー及び大型ないし小型のベビーカーに兼用可能なカバーを提供する。【解決手段】ベビーカー用カバー１０は、中央カバー部１と右側カバー部３Ａと左側カバー部３Ｂとを含み；中央カバー部は、ベビーカーのフットレスト部、正面、幌部上面及び背もたれ部背面をアーチ状に覆う大略長方形のシート材からなり；右側カバー部及び左側カバー部は、ベビーカーの右側及び左側を覆う大略半円形のシート材からなり；中央カバー部と右側カバー部及び左側カバー部の各弧状縁部との連結部４Ａ，４Ｂは、非開閉連結部４２と開閉可能連結部４０とからなり；開閉可能連結部にハンドル側方バーを通し、開閉手段を閉じることによりハンドル側方バーに固定し；開閉可能連結部の内側端部は、ハンドル移動型ベビーカーを背面式状態から対面式状態に変更可能にする位置である。【選択図】図１
2012011830.tif 000002
【特許請求の範囲】
【請求項１】
幌部を備えた複数種のベビーカーに、ベビーカーの左右の各ハンドル側方バーが内側から外側に貫通して突き出した状態で着脱自在に取り付けることができるベビーカー用カバーであって；
前記ベビーカー用カバーは、中央カバー部と右側カバー部と左側カバー部とを含み；
前記中央カバー部は、前記ベビーカー用カバーをベビーカーに装着した際に、ベビーカーのフットレスト部から座席部正面及び幌部上面を経て座席部後方をアーチ状に覆う大略長方形のシート材からなり；
前記右側カバー部及び前記左側カバー部は、前記ベビーカー用カバーをベビーカーに装着した際に、それぞれが前記中央カバー部の両側縁部との連結部から相互に平行に重力方向に垂れ下がってベビーカーの右側及び左側を覆う大略半円形のシート材からなり；
前記連結部は、前記右側カバー部及び前記左側カバー部の各弧状縁部が前記中央カバー部の両側縁部とそれぞれ結合して形成され、そして、ベビーカーに装着した際に正面側に一方の端部を有する非開閉連結部と、ベビーカーに装着した際に背面側に一方の端部を有する開閉可能連結部とからなり；
ベビーカーに装着する場合は、前記開閉可能連結部の各開閉開始点を開き、それぞれの開閉可能連結部にベビーカーの左右の各ハンドル側方バーを通して所定位置に装着した後に、各開閉可能連結部の開閉手段を閉じることにより、前記ベビーカー用カバーをベビーカーの左右の各ハンドル側方バーに固定し;
前記の各開閉可能連結部において、それぞれの開閉開始点と反対側の内側端部の位置は、前記ベビーカー用カバーを装着することのできるハンドル移動型ベビーカーに、そのハンドル移動型ベビーカーの背面式状態で前記ベビーカー用カバーを装着した後、そのハンドル移動型ベビーカーのハンドルを背面式状態から対面式状態に変更する場合に、前記ハンドルが前記開閉可能連結部を通過し、前記開閉手段によって前記ハンドル側方バーを対面状態で固定可能にする位置まで、前記開閉可能連結部の長さを保証する位置である；
ことを特徴とする、前記ベビーカー用カバー。
【請求項２】
前記開閉可能連結部が、スライドファスナであり、開閉手段がスライドファスナのスライダである、請求項１に記載のベビーカー用カバー。
【請求項３】
前記中央カバー部が、ベビーカーの背もたれ部の背面を覆う位置の先端に、長さ調整手段を有する、請求項１又は２に記載のベビーカー用カバー。
【請求項４】
ベビーカーに装着した場合に、中央カバー部において、正面を覆う部分に前方開放部を設ける、請求項１〜３のいずれか一項に記載のベビーカー用カバー。
【請求項５】
ベビーカーのサイドフレームのフットレスト固定部への固定手段を備える、請求項１〜４のいずれか一項に記載のベビーカー用カバー。
【請求項６】
右側カバー部と左側カバー部とを、ベビーカーの背もたれ部の背面を覆う位置で、相互に連絡させる連絡手段を設ける、請求項１〜５のいずれか一項に記載のベビーカー用カバー。
【請求項７】
前記右側カバー部及び前記左側カバー部のそれぞれが、通気窓を有する、請求項１〜６のいずれか一項に記載のベビーカー用カバー。
【発明の詳細な説明】
【技術分野】
【０００１】
本発明は、ベビーカー用カバーに関し、特には、各種の幌付きベビーカーに兼用可能なレインカバーに関する。
【背景技術】
【０００２】
ベビーカーには、各種のタイプがある。例えば、生後６ヶ月前後までの首がすわっていない乳児用ベビーカーとして、乳児を寝かせたまま乗せるタイプ（通常、Ａ型と称している）、首がすわった後から２才程度までの乳幼児を座らせるタイプ（通常、Ｂ型と称している）、座席部をリクライニング方式とすることによって、乳幼児を寝かせたり座らせたりすることが可能なタイプ（通常、ＡＢ型と称している）、あるいは４才ないし５才程度の比較的大きな幼児にも使用可能な大型タイプ（通常、バギー型と称している）などが実際に広く利用されている。また、前記Ｂ型やバギー型にも背の低い小型のベビーカーから背の高い大型のベビーカーまで、大きさもまちまちである。更に、構造が簡易なものから豪華なタイプまで、仕様も種々に亘る。
【０００３】
また、母親などのベビーカー操作者が把持するハンドルの位置についても、座席部背後に固定されているタイプだけでなく、進行方向の前後方向に切り替えることが可能なベビーカーも知られている。すなわち、ベビーカーの座席部に乳幼児を寝かせたり座らせた状態で、乳幼児の正面側を進行方向としてベビーカーを座席部の背面側から押す状態でのハンドル位置と、ハンドル位置を座席部の前方正面側に移動させ、ベビーカー操作者と乳幼児とを対面状態としてベビーカーを背もたれ部方向に進行させるハンドル位置とに切り替えることができるタイプ（以下、「ハンドル移動型ベビーカー」と称する）である。このハンドル移動型ベビーカーは、前記のＡＢ型ベビーカーやバギー型ベビーカーに広く採用されている。一方、ハンドルの位置は移動せず、ベビーカーの座席部に乳幼児を寝かせたり座らせた状態で、乳幼児の正面側を進行方向としてベビーカーを座席部の背面側から押して走行させるタイプ（以下、「ハンドル固定型ベビーカー」と称する）もある。更に、ハンドルの形状も、左側と右側とが分離したタイプや、ハンドルが左側と右側とに分離せず、上部で左右が一体に連結されたＵ字型（又はコ字型）がある。
【０００４】
さて、ベビーカーには、カバー（レインカバー）が付属している場合がある。カバー（レインカバー）は、ベビーカーの外側を覆う必要があり、前記のような種々のベビーカーは、それぞれ外形や大きさが異なるので、一般的には、１つのカバーで兼用可能な範囲は限定される。
一方、ベビーカー購入者の中には、乳幼児の成長段階や性向変化に合わせて、ベビーカーを買い換える必要が生じることがあり、その場合は、カバーも買い換える必要がある。また、ベビーカー販売店では、種々のタイプのベビーカーに対して、多種類のカバーを準備しておくことが求められる。
【０００５】
ベビーカー用カバーは、ベビーカーに乗せた乳幼児を、雨から保護するだけでなく、風、寒気、雪、又は塵等から保護するために使用され、これまで種々提案されている。
例えば、ハンドル移動型ベビーカーに使用することのできるベビーカー用カバーについては、ハンドルを背面側の位置で固定させた場合や対面側の位置で固定させた場合のいずれの場合においても使用することができるベビーカー用カバーが提案されている（特許文献１）。しかしながら、このベビーカー用カバーは、ハンドルを背面側の位置で固定した場合に使用されるハンドル挿入部（この挿入部において、ベビーカー用カバーからベビーカーのハンドル側方フレームが内側から外側へ貫通する）と、ハンドルを対面側の位置で固定した場合に使用されるハンドル挿入部とが、別々に独立して設けられている。このため、ハンドルを背面側から対面側へ、又は対面側から背面側へ切り替える際には、ベビーカーに取り付けたカバーを一度取り外し、ハンドルを移動させ、その後でベビーカーにカバーを再度取り付ける必要がある。
【０００６】
更に、ハンドル移動型ベビーカー用のカバーについては、カバーの両側面にそれぞれスリットを設けることによって、カバーをベビーカーに取り付けたままの状態で、ハンドルを背面側から対面側（又は対面側から背面側）に切り替えることのできるベビーカー用カバーも提案されている（特許文献２及び３）。しかしながら、これらのベビーカー用カバーでは、大きさが異なるベビーカーとの兼用については全く考慮されていない。例えば、背の低い小型のハンドル移動型ベビーカー用のカバーを、背の高い大型のハンドル移動型ベビーカーのカバーとして兼用することはできないし、背の高い大型のハンドル固定型ベビーカーとして兼用することもできない。大型のハンドル移動型ベビーカー又は大型のハンドル固定型ベビーカーに装着すると、ベビーカーの下方部分をカバーによって十分に覆うことができないからである。逆に、背の高い大型のハンドル移動型ベビーカー用のカバーを、背の低い小型のハンドル移動型ベビーカーや小型のハンドル固定型ベビーカーに装着すると、カバーの下部がベビーカーの車輪に絡まるという不都合が生じる。
【０００７】
様々な大きさのベビーカーに対応するために、幅調整手段や高さ調整手段を有するベビーカー用カバーも提案されている（特許文献４）。しかしながら、特許文献４の明細書中には、幅調整手段については具体的手段が記載されているが、高さ調整手段については具体的な記載がなく、具体的な手段は不明である。また、もっぱら、ハンドル固定型ベビーカーに用いるカバーに関する記載のみで、ハンドル移動型ベビーカーに兼用可能な構造については記載も示唆もない。
【０００８】
このように、従来のベビーカー用カバーでは、せいぜい、ハンドル固定型ベビーカーに用いるカバーに幅調整手段を設けたものが提案されている程度で、ハンドル移動型ベビーカー及びハンドル固定型ベビーカーのいずれにも兼用が可能なだけでなく、小型のハンドル固定型ベビーカー及び大型のハンドル固定型ベビーカーとしても兼用が可能なカバーは知られていなかった。
【先行技術文献】
【特許文献】
【０００９】
【特許文献１】特許第４３８８４０８号公報
【特許文献２】特開２００６−１３１２１０号公報
【特許文献３】特開２００６−２２４７１１号公報
【特許文献４】特開２００４−２１７０８２号公報
【発明の概要】
【発明が解決しようとする課題】
【００１０】
従って、本発明の課題は、或る１つのカバーが、種々のタイプのベビーカー、すなわち、ハンドル移動型ベビーカー及びハンドル固定型ベビーカーのいずれにも兼用が可能なだけでなく、小型のベビーカーないし大型のベビーカーにも兼用が可能となるカバーを提供することにある。
【課題を解決するための手段】
【００１１】
前記の課題は、本発明により、
幌部を備えた複数種のベビーカーに、ベビーカーの左右の各ハンドル側方バーが内側から外側に貫通して突き出した状態で着脱自在に取り付けることができるベビーカー用カバーであって；
前記ベビーカー用カバーは、中央カバー部と右側カバー部と左側カバー部とを含み；
前記中央カバー部は、前記ベビーカー用カバーをベビーカーに装着した際に、ベビーカーのフットレスト部から座席部正面及び幌部上面を経て座席部後方をアーチ状に覆う大略長方形のシート材からなり；
前記右側カバー部及び前記左側カバー部は、前記ベビーカー用カバーをベビーカーに装着した際に、それぞれが前記中央カバー部の両側縁部との連結部から相互に平行に重力方向に垂れ下がってベビーカーの右側及び左側を覆う大略半円形のシート材からなり；
前記連結部は、前記右側カバー部及び前記左側カバー部の各弧状縁部が前記中央カバー部の両側縁部とそれぞれ結合して形成され、そして、ベビーカーに装着した際に正面側に一方の端部を有する非開閉連結部と、ベビーカーに装着した際に背面側に一方の端部を有する開閉可能連結部とからなり；
ベビーカーに装着する場合は、前記開閉可能連結部の各開閉開始点を開き、それぞれの開閉可能連結部にベビーカーの左右の各ハンドル側方バーを通して所定位置に装着した後に、各開閉可能連結部の開閉手段を閉じることにより、前記ベビーカー用カバーをベビーカーの左右の各ハンドル側方バーに固定し；
前記の各開閉可能連結部において、それぞれの開閉開始点と反対側の内側端部の位置は、前記ベビーカー用カバーを装着することのできるハンドル移動型ベビーカーに、そのハンドル移動型ベビーカーの背面式状態で前記ベビーカー用カバーを装着した後、そのハンドル移動型ベビーカーのハンドルを背面式状態から対面式状態に変更する場合に、前記ハンドルが前記開閉可能連結部を通過し、前記開閉手段によって前記ハンドル側方バーを対面状態で固定可能にする位置まで、前記開閉可能連結部の長さを保証する位置である；
ことを特徴とする、前記ベビーカー用カバーによって、解決することができる。
【００１２】
本発明によるベビーカー用カバーの好ましい態様によれば、前記開閉可能連結部が、スライドファスナであり、開閉手段がスライドファスナのスライダである。
【００１３】
本発明によるベビーカー用カバーの別の好ましい態様によれば、前記中央カバー部が、ベビーカーの背もたれ部の背面を覆う位置の先端に、長さ調整手段を有する。
【００１４】
本発明によるベビーカー用カバーの更に別の好ましい態様によれば、ベビーカーに装着した場合に、中央カバー部において、正面を覆う部分に前方開放部を設ける。
【００１５】
本発明によるベビーカー用カバーの更に別の好ましい態様によれば、ベビーカーのサイドフレームのフットレスト固定部への固定手段を備える。
【００１６】
本発明によるベビーカー用カバーの更に別の好ましい態様によれば、右側カバー部と左側カバー部とを、ベビーカーの背もたれ部の背面を覆う位置で、相互に連絡させる連絡手段を設ける。
【００１７】
本発明によるベビーカー用カバーの更に別の好ましい態様によれば、前記右側カバー部及び前記左側カバー部のそれぞれが、通気窓を有する。
【００１８】
本明細書において、位置関係を示す用語（例えば、上方、下方、上部、下部、上面、下面、中央、右側、左側、正面、背面、前方、後方、内側及び外側）は、特に断らない限り、本発明によるベビーカー用カバーをベビーカーに取り付け、そのベビーカーを通常の方法で使用している状態での位置関係について用いるものとし、本発明によるベビーカー用カバーをベビーカーから取り除いた保管状態などでの位置関係を限定するものではない。
【００１９】
また、ベビーカー及びベビーカー用カバーについて、その座席部に乳幼児を座らせた状態で、乳幼児の顔面が向く方向及び位置が正面であり、その反対側の方向及び位置が背面であり、右側及び左側も座席部に座った乳幼児を基準とする。従って、ハンドル固定型ベビーカーの場合には、ベビーカーの進行方向が正面方向になり、ハンドル移動型ベビーカーの場合も同様に、ハンドルの位置とは関係なく、乳幼児を座らせた状態で、乳幼児の顔面が向く方向及び位置が正面となる。従って、ハンドル移動型ベビーカーのハンドルを背もたれ側から座席部正面側に切り替えて固定し、座席部に座った乳幼児とベビーカー操作者とが対面した状態でベビーカーを走行させる場合は、ベビーカーの進行方向は背面方向になる。
【発明の効果】
【００２０】
本発明のベビーカー用カバーは、ベビーカーに装着した際に、ベビーカーのフットレスト部から正面及び幌部上面を経て背もたれ部の背面を覆う中央カバー部の両側縁部と、右側カバー部及び左側カバー部の弧状縁部とが結合して形成されたアーチ状の開閉可能連結部において、ベビーカーのハンドルを、カバー内部側から外側に貫通して突き出し、各開閉可能連結部の開閉手段を閉じることによって着脱自在に固定して取り付けることができる。
【００２１】
また、前記のアーチ状の開閉可能連結部を開くと、ベビーカーのハンドル（又はハンドル側方バー）をアーチ状開閉可能連結部に沿って移動させることができるので、ハンドル移動型ベビーカーに装着した場合に、カバーをベビーカーから取り外すことなく、ハンドルを背面式状態から対面式状態に移動して切り替えたり、対面式状態から背面式状態に移動して切り替えたりすることができる。
更に、小型のベビーカー（特に、小型のハンドル固定型ベビーカー）と、大型のベビーカー（特に、大型のハンドル固定型ベビーカー）では、ベビーカーのフットレスト部から座席部正面及び幌部上面を経て背もたれ部の背面に至るまでの長さが異なるが、前記のアーチ状の開閉可能連結部を利用することにより、小型及び大型のベビーカー（特に、小型及び大型のハンドル固定型ベビーカー）のいずれに対しても兼用が可能になる。
【００２２】
従って、本発明のベビーカー用カバーを用いると、ベビーカー購入者が、例えば、ハンドル移動型ベビーカーを購入した際に、本発明のベビーカー用カバーを購入すれば、続いて、ベビーカーを小型のハンドル固定型ベビーカーに替え、更に大型のハンドル固定型ベビーカーに替えても、こうしたベビーカーの買い替えに伴って、カバーを買い替える必要がなくなる。また、ベビーカーの小売店も、種々のベビーカーのそれぞれに対して、用意するカバーの種類を大幅に減少させることができる。
【図面の簡単な説明】
【００２３】
【図１】本発明によるベビーカー用カバーの展開図である。なお、図１Ａは、図１の右側部分の部分展開図であり、図１Ｂは、図１の左側部分の部分展開図である。
【図２】スライドファスナを開いた状態を示す部分拡大図である。
【図３】スライドファスナを閉じた状態を示す部分拡大図である。
【図４】図１のベビーカー用カバーを大型のハンドル固定型ベビーカーに取り付けた状態を示す斜視図である。
【図５】図４の状態の背面図である。
【図６】ハンドル側方バーを、スライドファスナ部を閉じることによって固定した状態を示す拡大斜視図である。
【図７】図１のベビーカー用カバー（ただし、形状保持手段を備えていないことのみ異なる）を小型のハンドル固定型ベビーカーに取り付けた状態を示す斜視図である。
【図８】図１のベビーカー用カバーを、背面式状態のハンドル移動型ベビーカーに取り付けた状態を示す斜視図である。
【図９】図８の状態の背面図である。
【図１０】図８に示すハンドル移動型ベビーカーにおいて、背面式状態のハンドルの位置を対面式状態のハンドル位置に切り替えた後の状態を示す斜視図である。
【図１１】図１のベビーカー用カバーを、背面式状態のハンドル移動型ベビーカーに取り付けた後に、ハンドル移動型ベビーカーのハンドルを背面式状態から対面式状態へ移動する方法を示す説明図である。
【図１２】図１のベビーカー用カバーを大型のハンドル固定型ベビーカーに装着する途中の状態を示す背面図である。
【図１３】図１のベビーカー用カバーを大型のハンドル固定型ベビーカーに取り付けた後に、ベビーカー用カバーの正面に設けた前方開放部を開いて上方に折り畳んだ状態を示す斜視図である。
【図１４】図１０のベビーカーの座席部を寝かした状態を示す斜視図である。
【図１５】図１のベビーカー用カバーを簡易な小型のハンドル固定型ベビーカーに取り付けた状態を示す斜視図である。
【発明を実施するための形態】
【００２４】
本発明によるベビーカー用カバーの代表的な実施態様について、以下、添付図面に沿って説明する。図１は、本発明によるベビーカー用カバー１０の展開図である。なお、後述するように、図１に示すベビーカー用カバー１０は、ベビーカーに装着した際に正面を覆う部分に前方開放部７を有し、その前方開放部７を閉じた状態では全体が平面状とはならないが、その前方開放部７を開くと全体が平面状になるので、図１は、前記の前方開放部７を開いた状態を展開図として表している。
【００２５】
図１に示すとおり、本発明によるベビーカー用カバー１０は、中央カバー部１と右側カバー部３Ａと左側カバー部３Ｂと連結部４とを含み、図１に示す態様のように、ベビーカーに装着した際に正面を覆う部分に前方開放部７を有することができる。
【００２６】
前記連結部４は、前記右側カバー部３Ａ及び前記左側カバー部３Ｂの各弧状縁部３０Ａ，３０Ｂが前記中央カバー部１の両側縁部１１（１１Ａ，１１Ｂ）とそれぞれ結合して形成される。すなわち、右側カバー部３Ａの弧状縁部３０Ａと中央カバー部の右側縁部１１Ａとの結合により右側連結部４Ａが形成され、左側カバー部３Ｂの弧状縁部３０Ｂと中央カバー部の左側縁部１１Ｂとの結合により左側連結部４Ｂが形成される。
【００２７】
前記連結部４は、開閉可能連結部４０と非開閉連結部４２とからなる。開閉可能連結部４０は、中央カバー部１と右側カバー部３Ａとを開閉可能に連結する右側開閉可能連結部４０Ａ、及び中央カバー部１と左側カバー部３Ｂとを開閉可能に連結する左側開閉可能連結部４０Ｂからなり、非開閉連結部４２は、中央カバー部１と右側カバー部３Ａ又は左側カバー部３Ｂとが一体的に相互に連結されており、開閉しない。右側非開閉連結部４２Ａは、中央カバー部１と右側カバー部３Ａとを連結し、左側非開閉連結部４２Ｂは、中央カバー部１と左側カバー部３Ｂとを連結している。なお、非開閉連結部４２の中央カバー部縁部１１（１１Ａ，１１Ｂ）の内側には、一般に前方開放部７（７Ａ，７Ｂ）を設けるので、右側カバー部３Ａと左側カバー部３Ｂは、中央カバー部縁部１１（１１Ａ，１１Ｂ）と一体的に平面シートとして中央カバー部１の本体部と別途に形成し、前記の前方開放部７（７Ａ，７Ｂ）によって、右側カバー部３Ａ及び左側カバー部３Ｂと中央カバー部本体とを連結することができる。
【００２８】
開閉可能連結部４０は、前記ベビーカー用カバー１０をベビーカーに装着した際に、後述するとおり、中央カバー部１と右側カバー部３Ａ及び左側カバー部３Ｂとの間にアーチ状軌道を形成するので、ベビーカーの左右の各ハンドル側方バーをカバー１０の内側から外側に貫通させて突き出した状態で着脱自在に取り付けるために用いることができる。また、前記の前方開放部７（７Ａ，７Ｂ）は、後述するとおり、前記ベビーカー用カバー１０をベビーカーに装着した後に、カバー１０の前方部分を開く際に用いることができる。
【００２９】
前記開閉可能連結部４０及び前方開放部７（７Ａ，７Ｂ）としては、例えば、スライドファスナを用いることができ、開閉手段としてスライドファスナのスライダを用いることができる。
図２及び図３に、本発明に用いることのできるスライドファスナ５の一例を示す。図２は、スライドファスナ５の開具部側ガイドレール部５２ｔを開いた状態であり、図３はスライドファスナ５の開具部側ガイドレール部５２ｔを閉じた状態である。
スライドファスナ５は、開具部６０とガイドレール部５０とストッパー５８とスライダ６４とを含み、スライダ６４は、一対のスライダ、すなわち、開具部側スライダ６５とストッパー側スライダ６６とからなる。開具部６０は、蝶棒６１と箱６２と箱棒６３とを有する。ガイドレール部５０は、歯部５４と基台テープ部５６とからなっており、スライダ６４によって、一方のサイドの第１ガイドレール部５０ｘ及びもう一方のサイドの第２ガイドレール部５０ｙの歯部５４を相互に噛合わせたり、噛合わせを解除することにより、ガイドレール部５０を開閉することができる。ガイドレール部５０は、ストッパー５８からストッパー側スライダ６６までは、ガイドレール部５０が閉じたストッパー側ガイドレール部５２ｓとなり、ストッパー側スライダ６６の位置が閉鎖末端となる。また、開具部６０から開具部側スライダ６５までのガイドレール部５０は、開閉可能な領域、すなわち、開具部側ガイドレール部５２ｔである。ストッパー側ガイドレール部５２ｓの長さは、ストッパー側スライダ６６をスライドさせることによって、その長さを適宜に調整することができ、その調整に伴って、開具部側ガイドレール部５２ｔの長さも適宜に調整される。
【００３０】
開具部６０を閉じる場合には、最初に、開具部側スライダ６５を箱６２と密着する位置まで移動させ、その状態で、蝶棒６１を箱６２の根元に差し込み、蝶棒６１と箱６２とを一方の手で押さえたまま、もう片方の手で開具部側スライダ６５を箱棒６３が見えるところまで引き上げることによって、開具部６０を閉じることができる。
開具部６０を閉じた後に、開具部側スライダ６５を開具部６０から離れる方向に更にスライドさせることによって、開具部６０から開具部側スライダ６５までの間、すなわち、開具部側ガイドレール部５２ｔを閉じることができる。閉じた状態の開具部側ガイドレール部５２ｔ及び開具部６０を開放状態とするには、開具部側スライダ６５を箱６２に密着させ、蝶棒６１を箱６２及び開具部側スライダ６５から引き抜くことによって、開具部側ガイドレール部５２ｔ及び開具部６０を開くことができる。
【００３１】
図３に示すように、開具部側スライダ６５とストッパー側スライダ６６との位置を調整することによって、任意の場所に、開具部側スライダ６５とストッパー側スライダ６６との間に貫通部６８を形成することができる。従って、図２に示す開放状態において、ベビーカーのハンドル側方バーを、第１ガイドレール部５０ｘと第２ガイドレール部５０ｙとの間に挿入し、所定の位置にスライドさせたストッパー側スライダ６６の位置まで案内し、続いて、開具部側スライダ６５によって開具部側ガイドレール部５２ｔを閉じ、ハンドル側方バーの位置までスライドさせて貫通部６８を形成し、貫通部６８の中に位置するハンドル側方バーを開具部側スライダ６５とストッパー側スライダ６６とによってはさむことにより固定することができる。この貫通部６８は、開具部側スライダ６５とストッパー側スライダ６６との位置を調整することによって、任意の位置に形成することができるので、ハンドル側方バーもガイドレール部５０の任意の位置で 固定することができる。
【００３２】
図２及び図３に示すスライドファスナ５を前方開放部７（７Ａ，７Ｂ）に用いることもできるが、前方開放部７（７Ａ，７Ｂ）に用いるスライドファスナは、ストッパー側スライダを備える必要はなく、開具部側スライダを備えていればよい。
【００３３】
開閉可能連結部４０としては、図２及び図３に示すスライドファスナを用いることができるだけでなく、開閉自在で、ハンドル側方バーを開口部で固定することのできる手段であれば限定されず、例えば、面ファスナ、ホック、又はスナップなどを使用することができる。しかしながら、開閉操作が容易である点や、ハンドル側方バーを開口部で固定することが可能である点、及び任意の箇所に貫通部６８を設けることができる点などから、スライドファスナを用いることが好ましい。
【００３４】
ここで、図１（並びに図１Ａ及び図１Ｂ）に戻ると、開閉可能連結部４０においては、連結部開閉開始点４６（４６Ａ，４６Ｂ）にスライドファスナ５の開具部６０を配置し、連結部開閉終止点４８（４８Ａ，４８Ｂ）にストッパー５８を配置することができる。一方、前方開放部７については、前方開放部開始点７２（７２Ａ，７２Ｂ）にスライドファスナ５の開具部６０を配置し、前方開放部終止点７４（７４Ａ，７４Ｂ）にストッパー５８を配置することができる。また、連結部開閉開始点４６（４６Ａ，４６Ｂ）から連結部開閉終止点４８（４８Ａ，４８Ｂ）までが、開閉可能連結部４０（４０Ａ，４０Ｂ）の区間であり、連結部開閉終止点４８（４８Ａ，４８Ｂ）から前方開放部開始点７２（７２Ａ，７２Ｂ）までが非開閉連結部４２（４２Ａ，４２Ｂ）となる。
【００３５】
中央カバー部１は、図１（展開図）に示す状態では大略長方形のシート状であり、中央カバー前方部１２と中央カバー上方部１４と中央カバー後方部１６とを含み、更に、場合により、中央カバー調整部１８を含むことができる。中央カバー調整部１８は、長さ調整手段として、右側折り畳み用ファスナ２２Ａ及び左側折り畳み用ファスナ２２Ｂを備えている。中央カバー部１は、後述する図４などに示すように、本発明によるベビーカー用カバー１０をベビーカー８０に装着した際に、ベビーカー８０のフットレスト部８１から、座席部正面及び幌部８２の上面を経て、背もたれ部８３ｂの背面をアーチ状に覆うことができる。また、中央カバー前方部１２の両側縁部、及び中央カバー上方部１４の一部又は全部に、前方開放部７を設けることができ、この場合には、前方開放部開始点７２（７２Ａ，７２Ｂ）にスライドファスナ５の開具部６０を配置し、前方開放部終止点７４（７４Ａ，７４Ｂ）にストッパー５８を配置する。
【００３６】
更に、中央カバー部１には、中央カバー前方部１２と中央カバー上方部１４との間に、形状保持手段として芯材１５を設けることができる。芯材１５は、ベビーカー用カバー１０をベビーカーに装着した際に、ベビーカーの幌部の前方に突出して、カバー１０の座席部正面の形状を維持することができる棒状体（例えば、プラスチック製や金属製の棒）である。芯材１５を設ける形状は特に限定されないが、例えば、図１に示すように、中央カバー部１の両縁部１１（１１Ａ，１１Ｂ）と右側カバー部３Ａ及び左側カバー部３Ｂとの両連結部１５Ｆ，１５Ｆから先端部１５Ｔとの間に、弧状に設けることが好ましい。
【００３７】
右側カバー部３Ａ及び左側カバー部３Ｂは、図１（展開図）に示す状態では、それぞれ、大略半円形のシート状であり、弧状縁部３０Ａ，３０Ｂと、カバー底部３６Ａ，３６Ｂとから大略半円形の外形が形成される。前記右側カバー部３Ａ及び前記左側カバー部３Ｂは、前記ベビーカー用カバー１０をベビーカーに装着した際に、それぞれが前記中央カバー部１の両側縁部１１（１１Ａ，１１Ｂ）との連結部４（４Ａ，４Ｂ）から相互に平行に重力方向に垂れ下がってベビーカーの右側及び左側を覆うことができる。各弧状縁部３０Ａ，３０Ｂは、カバー前方縁部３１Ａ，３１Ｂと、カバー上方縁部３２Ａ，３２Ｂと、カバー後方縁部３４Ａ，３４Ｂとから形成される。カバー後方縁部３４Ａ，３４Ｂからカバー上方縁部３２Ａ，３２Ｂを経て、カバー前方縁部３１Ａ，３１Ｂの一部までが前記中央カバー部１の両側縁部１１（１１Ａ，１１Ｂ）と結合して、開閉可能連結部４０Ａ，４０Ｂを形成する。また、カバー前方縁部３１Ａ，３１Ｂにおいて、連結部開閉終止点４８（４８Ａ，４８Ｂ）から前方開放部右側開始点７２（７２Ａ，７２Ｂ）までの区間が非開閉連結部４２（４２Ａ，４２Ｂ）となる。
【００３８】
右側カバー部３Ａ及び左側カバー部３Ｂは、前記ベビーカー用カバー１０をベビーカーに装着した際に、内部の換気用として、それぞれ、通気窓３８（３８Ａ，３８Ｂ）を備えることができる。通気窓３８（３８Ａ，３８Ｂ）を設ける位置は特に限定されないが、右側カバー部３Ａ及び左側カバー部３Ｂにおいて、連結部開閉開始点４６（４６Ａ，４６Ｂ）と連結部開閉終止点４８（４８Ａ，４８Ｂ）とを結ぶ直線と、右側カバー上方縁部３２Ａ又は左側カバー上方縁部３２Ｂとの間に設けると、各種のベビーカーに装着した際に、それぞれの場合に通気が確保されるので好ましい。
【００３９】
また、右側カバー部３Ａ及び左側カバー部３Ｂは、カバー前方縁部３１Ａ，３１Ｂの内側、又は右側カバー底部３６Ａ及び左側カバー底部３６Ｂの前方側に、ベビーカーのサイドフレームのフットレスト固定部への固定手段として、右側フット部固定手段９０Ａ及び左側フット部固定手段９０Ｂを備えることができる。前記ベビーカー用カバー１０をベビーカーに装着した際に、前記フット部固定手段９０Ａ，９０Ｂを用いて、カバー１０の前方下部先端をベビーカーに着脱自在に固定することができる。
【００４０】
前記のフット部固定手段９０Ａ，９０Ｂは、ベビーカーのフレームに巻き付けて固定することのできる手段であれば特に限定されず、例えば、面ファスナやボタンなどを先端に備えたベルトなどを用いることができる。
【００４１】
更に、右側カバー部３Ａ及び左側カバー部３Ｂには、右側カバー底部３６Ａ及び左側カバー底部３６Ｂの後方側に、それぞれ、連絡手段として、右側紐状コード材９２Ａ及び左側紐状コード材９２Ｂを備えることができる。前記ベビーカー用カバー１０をベビーカーに装着した際に、右側紐状コード材９２Ａ及び左側紐状コード材９２Ｂのフリー先端を結ぶことにより、右側カバー部３Ａ及び左側カバー部３Ｂを相互に連絡させて固定し、更に中央カバー後方部１６及び中央カバー調整部１８を内側で固定することができる。
【００４２】
ベビーカー用カバー１０は、雨除け用又は雪除け用として利用する場合があるので、防水性材料からなることが好ましい。また、ベビーカー用カバー１０は、ベビーカーに乗っている乳幼児の視界を妨げないように、透明ないし半透明材料からなることが好ましい。
【００４３】
次に、図１に示す本発明のベビーカー用カバー１０を、幌部を備えた複数種の市販のベビーカーに実際に装着した状態を説明する。以下に示すように、１つのベビーカー用カバー１０を各種のベビーカーに兼用することができる。
図４は、比較的成長した幼児に利用される大型のハンドル固定型ベビーカー８０Ａに本発明によるベビーカー用カバー１０を取り付けた状態を示す斜視図であり、図５は、図４の背面図である。なお、図４においては、ベビーカー８０Ａの内、カバー１０の内側に隠れる部分を破線で示す。更に、図６は、図５の部分Ｚを拡大して示す部分拡大図である。
【００４４】
図４に示すように、本発明によるベビーカー用カバー１０は、背の高い大型のハンドル固定型ベビーカー８０Ａの幌部８２を前方に突出させた状態で取り付けることができる。
ベビーカー用カバー１０は、その中央カバー部１により、大型のハンドル固定型ベビーカー８０Ａのフットレスト部８１から座席部正面及び幌部上面を経て背もたれ部８３ｂの背面をアーチ状に覆い、右側カバー部３Ａ及び左側カバー部３Ｂにより、ベビーカー８０Ａの両サイドを覆うことができる。特に、図４に示すとおり、ベビーカー８０Ａの座席部８３の前方は、中央カバー前方部１２によって覆われ、幌部８２の上面は、中央カバー上方部１４によって覆われる。また、図５に示すとおり、座席部８３の背部は、中央カバー後方部１６及び中央カバー調整部１８によって覆われる。こうして、座席部８３、すなわち、座部８３ａ、背もたれ部８３ｂ、右サイド覆部８３ｃ、及び左サイド覆部８３ｄをベビーカー用カバー１０によって完全に覆うことができる。
【００４５】
ベビーカー８０Ａのサイドフレーム８４に連結するフットレスト固定用バー８６は、その先端に車輪８９を備えると共に、フットレスト部８１を固定するフットレスト固定部８５を有する。ベビーカー８０Ａの前記フットレスト固定用バー８６、あるいはフットレスト固定部８５又はその近傍に、カバー１０が備えるフット部固定手段９０（９０Ａ，９０Ｂ）を固定して、カバー１０の前方下端をベビーカー８０Ａのフットレスト固定用バー８６に固定することができる。
【００４６】
ハンドル８７のハンドル側方バー８８（８８Ａ，８８Ｂ）は、図４〜図６に示すように、開閉可能連結部４０（４０Ａ，４０Ｂ）において、開具部側スライダ６５及びストッパー側スライダ６６によって固定することができる。また、図５に示すように、中央カバー調整部１８は折り畳まずに使用され、右側紐状コード材９２Ａと左側紐状コード材９２Ｂとを結んで、中央カバー調整部１８、並びに右側カバー部３Ａ及び左側カバー部３Ｂを内側に納め、自由な動きを制御することができる。なお、右側カバー底部３６Ａ及び左側カバー底部３６Ｂは、各車輪のかなり上方に位置するため、車輪に絡むことはない。
【００４７】
本発明のベビーカー用カバーにおける中央カバー部の長さ（長さ方向の全長）は、本発明のベビーカー用カバーの装着を予定している最も大きな大型のハンドル固定型ベビーカーにおいて、幌部を前方に突き出した状態でカバーを装着した際に、ベビーカーのフットレスト部から座席部正面及び幌部上面を経て背もたれ部の背面をアーチ状に覆うことのできる長さとする。また、本発明のベビーカー用カバーにおける中央カバー部の幅（長さ方向と直交する幅方向の長さ）も、本発明のベビーカー用カバーの装着を予定している最も大きな大型のハンドル固定型ベビーカーにおいて、カバーの装着時に、ベビーカーのフットレストから正面及び幌部上面を経て背もたれ部の背面を覆うことのできる幅とする。市販の大型のハンドル固定型ベビーカーでは、おおむね、前記の全長及び幅は事実上決まっており、当業者であれば、適宜決定することができる。なお、ベビーカーの幅は、各種のベビーカーにおいて大幅な差異はなく、全長は、本発明に設ける中央カバー調整部によって適宜調整可能である。
【００４８】
更に、本発明のベビーカー用カバーにおいて、中央カバー前方先端部２４から開閉可能連結部の連結部開閉開始点４６までの長さも、本発明のベビーカー用カバーの装着を予定している最も大きな大型のハンドル固定型ベビーカーにカバーを装着した際に、ハンドル側方バーをスライダで固定することのできる長さとする。各種の市販の大型のハンドル固定型ベビーカーでは、ハンドル側方バーの位置も事実上決まっており、当業者であれば、前記の開閉可能連結部の長さを、適宜決定することができる。
【００４９】
図７は、図１に示す本発明のベビーカー用カバー１０において、形状保持手段としての芯材１５を備えていないこと以外では完全に同じカバーを、小型のハンドル固定型ベビーカー８０Ｂに取り付けた状態を示す斜視図であり、カバー１０の内側に隠れる部分を破線で示す。なお、図１に示す本発明のベビーカー用カバー１０それ自体（すなわち、形状保持手段としての芯材１５を備えたカバー）を図７に示す小型のハンドル固定型ベビーカー８０Ｂに装着しても、殆ど同じ状態で取り付けることができる。
【００５０】
図７に示すように、本発明によるベビーカー用カバー１０は、背の低い小型のハンドル固定型ベビーカー８０Ｂの幌部８２を前方に突出させた状態で取り付けることができる。
ベビーカー用カバー１０は、その中央カバー部１により、小型のハンドル固定型ベビーカー８０Ｂのフットレスト部８１から正面及び幌部上面を経て背もたれ部８３ｂの背面をアーチ状に覆い、右側カバー部３Ａ及び左側カバー部３Ｂにより、ベビーカー８０Ｂの両サイドを覆うことができる。特に、図７に示すとおり、ベビーカー８０Ｂの座席部８３の前方は、中央カバー前方部１２によって覆われ、幌部８２の上面は、中央カバー上方部１４によって覆われる。また、図５に示した場合と同様に、座席部８３の背部は、中央カバー後方部１６及び中央カバー調整部１８によって覆われる。こうして、座席部８３、すなわち、座部８３ａ、背もたれ部８３ｂをベビーカー用カバー１０によって完全に覆うことができる。
【００５１】
ベビーカー８０Ｂのフットレスト固定用バー８６、あるいはフットレスト固定部８５又はその近傍に、カバー１０が備えるフット部固定手段９０（９０Ａ，９０Ｂ）を固定して、カバー１０の前方下端をベビーカー８０Ｂのフットレスト固定用バー８６に固定することができる。
【００５２】
ハンドル８７のハンドル側方バー８８Ａ，８８Ｂは、図５に示した場合と同様に、開閉可能連結部４０（４０Ａ，４０Ｂ）において、開具部側スライダ６５及びストッパー側スライダ６６によって固定することができる。なお、中央カバー調整部１８を折り畳むことによって、長さ調整手段として利用し、中央カバー調整部１８の両側縁部に設けた右側折り畳み用ファスナ２２Ａ及び左側折り畳み用ファスナ２２Ｂによって、折り畳んだ部分を固定することができる。また、中央カバー調整部１８の長さを短くすることができるので、車輪に絡むことはない。なお、中央カバー調整部１８を折り畳んだ状態は、後述する図９に示す。
【００５３】
更に、右側紐状コード材９２Ａと左側紐状コード材９２Ｂとを結んで、折り畳んだ中央カバー調整部１８、並びに右側カバー部３Ａ及び左側カバー部３Ｂを内側に納め、自由な動きを制御することができる。なお、右側カバー底部３６Ａ及び左側カバー底部３６Ｂは、この場合でも、各車輪のかなり上方に位置するため、車輪に絡むことはない。
【００５４】
本発明のベビーカー用カバーにおける中央カバー部の中央カバー調整部の長さは、その部分を最大に延ばした場合に、本発明のベビーカー用カバーの装着を予定している最も背の高い大型のハンドル固定型ベビーカーにおいて、前記のとおり、背面までをアーチ状に覆うことのできる長さであると共に、中央カバー調整部の長さを最小にした場合に、中央カバー調整部の先端が車輪に絡むことはない長さとする。市販の小型のハンドル固定型ベビーカーでは、おおむね、前記の全長は事実上決まっており、当業者であれば、中央カバー調整部の長さを適宜決定することができる。また、市販のハンドル固定型ベビーカーでは、大型及び小型のいずれにおいても、その幅は殆ど変わらないので、大型のハンドル固定型ベビーカーの幅に合わせて、本発明のベビーカー用カバーの幅を決定することができる。なお、本発明のベビーカー用カバーにおいては、開閉可能連結部の長さは、本発明のベビーカー用カバーの装着を予定している最も大きな大型のハンドル固定型ベビーカーにカバーを装着した際に、ハンドル側方バーをスライダで固定することのできる長さとするので、小型のハンドル固定型ベビーカーでは、開閉可能連結部の中でハンドル側方バーを固定することができる。
【００５５】
図８は、図１に示す本発明のベビーカー用カバー１０を、背面式状態のハンドル移動型ベビーカー８０Ｃに取り付けた場合の斜視図であり、図９は、図８の背面図である。なお、図８に示すハンドル移動型ベビーカー８０Ｃの座席部８３はリクライニング方式であり、図８は、座席部８３が立っている状態である。
図８の状態は、ベビーカーがハンドル移動型ベビーカー８０Ｃであることを除けば、図４〜６及び図７の状態と同じである。なお、図９に示すとおり、中央カバー調整部１８を折り畳むことによって、長さ調整手段として利用し、中央カバー調整部１８の両側縁部に設けた右側折り畳み用ファスナ２２Ａ及び左側折り畳み用ファスナ２２Ｂによって、折り畳んだ部分を固定しており、この部分は図７の状態と同じである。従って、これ以外の説明を省略する。
【００５６】
図１０は、図８に示すハンドル移動型ベビーカー８０Ｃにおいて、背面式状態のハンドル８７の位置を対面式状態のハンドル位置に切り替えた後の状態を示す斜視図であり、図１１は、図８及び図９の状態、すなわち、図１に示す本発明のベビーカー用カバー１０を取り付けたままの状態で、背面式状態を対面式状態に切り替えて変更する操作を示す説明図である。なお、図１０のハンドル移動型ベビーカー８０Ｃにおいて、背もたれ部８３ｂをリクライニングさせて寝かせた状態とし、幌部８２を後方に引いた状態を図１４に示す。幌部８２を後方に引いた状態では、形状保持手段１５により、カバー１０の正面及び上面の形状を良好に維持することができる。
【００５７】
ハンドル移動型ベビーカー８０Ｃでは、ハンドル８７の位置を、背面式状態（図８に示す位置、あるいは図１１の実線で示す位置）又は対面式状態（図１０に示す位置、あるいは図１１の破線で示す位置）に交互に変換することができる。
本発明のベビーカー用カバー１０を装着した状態での変換操作は、図１１に示すように、最初に、開閉可能連結部４０の位置Ａにおいてハンドル側方バー８８を固定していたストッパー側スライダ６６を矢印Ｔの方向へ位置Ａ´に移動させることにより、ストッパー側ガイドレール部５２ｓを開き、次に、ハンドル８７を背面式状態の位置（図１１の実線で示す位置）から対面式状態の位置（図１１の破線で示す位置）に矢印Ｔの方向へ移動し、最後に、位置Ｂにある開具部側スライダ６５を位置Ｂ´に矢印Ｔの方向へ移動して開具部側ガイドレール部５２ｔを閉じることによって、対面式状態でハンドル側方バー８８を固定することができる。
【００５８】
本発明のベビーカー用カバーにおいて、開閉可能連結部における連結部開閉終止点の位置は、ハンドル移動型ベビーカーに装着した場合に、背面式状態と対面式状態とを交互に変換にする位置とする。各種の市販のハンドル移動型ベビーカーでは、背面式状態及び対面式状態におけるハンドル側方バーの位置も狭い範囲内で事実上決まっており、当業者であれば、前記の連結部開閉終止点の位置を、適宜決定することができる。
【００５９】
図１５は、図１に示す本発明のベビーカー用カバー１０を、極めて簡易な構造で小型のハンドル固定型ベビーカー８０Ｄに取り付けた場合の斜視図であり、この場合も、図１に示す本発明のベビーカー用カバー１０は、中央カバー調整部１８の両側縁部に設けた右側折り畳み用ファスナ２２Ａ及び左側折り畳み用ファスナ２２Ｂによって、折り畳んだ部分を固定することにより、兼用が可能である。
【００６０】
次に、図１に示す本発明のベビーカー用カバー１０を、ベビーカーに取り付ける操作手順を、大型のハンドル固定型ベビーカー８０Ａに取り付ける場合について、図４、図５、及び図１２に沿って説明する。図１２は、ベビーカー用カバー１０を大型のハンドル固定型ベビーカー８０Ａに取り付け、スライダ６４で固定する前の背面状態である。
【００６１】
ベビーカー用カバー１０を大型のハンドル固定型ベビーカー８０Ａに取り付ける際には、図１２に示すように、開閉可能連結部４０（４０Ａ，４０Ｂ）の連結部開閉開始点４６（４６Ａ，４６Ｂ）に位置する開具部６０を開き、開具部側ガイドレール部５２ｔを完全に開いた状態とする。この開いた状態の開具部側ガイドレール部５２ｔの間に、ハンドル側方バー８８（８８Ａ，８８Ｂ）を通し、中央カバー後方部１６と中央カバー調整部１８とを、各ハンドル側方バー８８（８８Ａ，８８Ｂ）の間から、背もたれ部の背後に垂らし、右側カバー部３Ａと左側カバー部３Ｂとを各ハンドル側方バー８８（８８Ａ，８８Ｂ）の外側に位置させる。
【００６２】
一方、ベビーカー８０Ａの前方部については、図４に示すように、ベビーカー８０Ａがカバー１０によって十分に覆われるように取り付け、右側フット部固定手段９０Ａ及び左側フット部固定手段９０Ｂにより、ベビーカー８０Ａのフットレスト固定用バー８６に固定する。この状態で、カバー１０を後方に引いくと、図１２に示す状態となる。続いて、ストッパー側スライダ６６と開具部側スライダ６５とによってハンドル側方バー８８（８８Ａ，８８Ｂ）を固定し、中央カバー調整部１８は折り畳まずに、図５に示すように、右側紐状コード材９２Ａと左側紐状コード材９２Ｂとを結んで、中央カバー調整部１８、並びに右側カバー部３Ａ及び左側カバー部３Ｂを内側に納める。なお、前記の取り付け操作手順は、単なる一例であり、取り付け操作手順は限定されるものではなく、また、ハンドル固定型ベビーカー及びハンドル移動型ベビーカーにおいて、実質的に変わるところはない。
【００６３】
ベビーカー用カバー１０をベビーカーに取り付けた後に、前方開放部７２を開くことができ、図１３に、大型のハンドル固定型ベビーカー８０Ａに取り付けた後に、前方開放部７２を開いた状態を示す。
【００６４】
本発明のベビーカー用カバーは、一人乗り用又は二人乗り用の３輪又は４輪の幌付きベビーカーである限り、任意のベビーカーに兼用可能である。すなわち、大型ないし小型のベビーカー、あるいはハンドル固定型ベビーカーやハンドル移動型ベビーカーに兼用することができ、ハンドルの形状も、左側と右側との分離型や、上部で左右が一体に連結されたＵ字状一体型のいずれにも兼用可能である。
【００６５】
本発明のベビーカー用カバーは、中央カバー部の縦の長さが好ましくは１００〜３００ｃｍであり、より好ましくは１５０〜２５０ｃｍである。中央カバー部の幅は、好ましくは３０〜７０ｃｍであり、より好ましくは４０〜６０ｃｍである。開閉可能連結部の長さは、右側開閉可能連結部及び左側開閉可能連結部のそれぞれについて、好ましくは５０〜２００ｃｍであり、より好ましくは７０〜１５０ｃｍである。中央カバー調整部の長さ（中央カバーの縦方向の長さ）は、好ましくは３０〜７０ｃｍであり、より好ましくは４０〜６０ｃｍである。前方開放部の長さ（中央カバーの縦方向の長さ）は、好ましくは５０〜２００ｃｍであり、より好ましくは７０〜１５０ｃｍである。右側カバー弧状縁部及び左側カバー弧状縁部の長さは、それぞれ、好ましくは７０〜２３０ｃｍであり、より好ましくは１００〜２００ｃｍである。右側カバー底部の長さ（右側連結部開閉開始点と前方開放部右側開始点とを結ぶ直線の長さ）及び左側カバー底部の長さ（左側連結部開閉開始点と前方開放部左側開始点とを結ぶ直線の長さ）は、それぞれ、好ましくは４０〜１２０ｃｍであり、より好ましくは６０〜１００ｃｍである。
【００６６】
なお、図１に示す本発明のベビーカー用カバー１０は、中央カバー部１の縦の長さ〔図１Ａ及び図１Ｂの中央カバー前方先端右端部２４Ａと中央カバー後方先端右端部２６Ａ、又は中央カバー前方先端左端部２４Ｂと中央カバー後方先端左端部２６Ｂとの間の長さ〕が約２００ｃｍであり、中央カバー部１の幅〔図１Ａ及び図１Ｂの中央カバー後方先端右端部２６Ａと中央カバー後方先端左端部２６Ｂとの間の長さ〕が約５０ｃｍである。なお、中央カバー前方先端右端部２４Ａと中央カバー前方先端左端部２４Ｂとの間の長さもほぼ同様に、約５０ｃｍである。右（左）側開閉可能連結部４０Ａ（４０Ｂ）の長さは、それぞれ、約１１０ｃｍである。中央カバー調整部１８の長さは、約５０ｃｍである。前方開放部用右（左）側スライドファスナ部７０Ａ（７０Ｂ）の長さは、それぞれ、約１００ｃｍである。右（左）側カバー弧状縁部３０Ａ（３０Ｂ）の長さは、それぞれ、約１５０ｃｍである。右（左）側カバー底部３６Ａ（３６Ｂ）の長さは、約８０ｃｍである。
【産業上の利用可能性】
【００６７】
本発明のベビーカー用カバーは、種々のタイプのベビーカー、すなわち、ハンドル移動型ベビーカー又はハンドル固定型ベビーカーのいずれにも取り付けることができ、更に、小型ベビーカーや大型のベビーカーにも装着することができるので、汎用のカバーとして用いることができる。
【符号の説明】
【００６８】
１・・・中央カバー部；３Ａ・・・右側カバー部；３Ｂ・・・左側カバー部；
４・・・連結部；４Ａ・・・右側連結部；４Ｂ・・・左側連結部；
５・・・スライドファスナ；７・・・前方開放部；８・・・ベビーカー；
９・・・固定手段；
１０・・・ベビーカー用カバー；１１・・・中央カバー縁部；
１１Ａ・・・中央カバー右側縁部；１１Ｂ・・・中央カバー左側縁部；
１２・・・中央カバー前方部；１４・・・中央カバー上方部；
１５・・・形状保持手段；１５Ｆ・・・形状保持手段連結点；
１５Ｔ・・・形状保持手段先端部；１６・・・中央カバー後方部；
１８・・・中央カバー調整部；２０・・・長さ調整手段；
２２Ａ・・・右側折り畳み用ファスナ；
２２Ｂ・・・左側折り畳み用ファスナ；２４・・・中央カバー前方先端部；
２４Ａ・・・中央カバー前方先端右端部；２４Ｂ・・・中央カバー前方先端左端部；
２６Ａ・・・中央カバー後方先端右端部；２６Ｂ・・・中央カバー後方先端左端部；
３０Ａ・・・右側カバー弧状縁部； ３０Ｂ・・・左側カバー弧状縁部；
３１Ａ・・・右側カバー前方縁部；３１Ｂ・・・左側カバー前方縁部；
３２Ａ・・・右側カバー上方縁部；３２Ｂ・・・左側カバー上方縁部；
３４Ａ・・・右側カバー後方縁部；３４Ｂ・・・左側カバー後方縁部；
３６Ａ・・・右側カバー底部；３６Ｂ・・・左側カバー底部；
３８Ａ・・・右側通気窓；３８Ｂ・・・左側通気窓；
４０・・・開閉可能連結部；４０Ａ・・・右側開閉可能連結部；
４０Ｂ・・・左側開閉可能連結部；
４２・・・非開閉連結部；４２Ａ・・・右側非開閉連結部
４２Ｂ・・・左側非開閉連結部
４４Ａ・・・開閉可能連結部用右側スライドファスナ部；
４４Ｂ・・・開閉可能連結部用左側スライドファスナ部；
４６・・・連結部開閉開始点；
４６Ａ・・・右側連結部開閉開始点；４６Ｂ・・・左側連結部開閉開始点；
４８・・・連結部開閉終止点；
４８Ａ・・・右側連結部開閉終止点；４８Ｂ・・・左側連結部開閉終止点；
５０・・・ガイドレール部；
５０ｘ・・・第１ガイドレール部；５０ｙ・・・第２ガイドレール部；
５２ｔ・・・開具部側ガイドレール部；５２ｓ・・・ストッパー側ガイドレール部；
５４・・・歯部；５６・・・基台テープ部；５８・・・ストッパー；
６０・・・開具部；６１・・・蝶棒；６２・・・箱；６３・・・箱棒；
６４・・・スライダ；６５・・・開具部側スライダ；
６６・・・ストッパー側スライダ；６８・・・貫通部；
７０Ａ・・・前方開放部用右側スライドファスナ部；
７０Ｂ・・・前方開放部用左側スライドファスナ部；
７２・・・前方開放部開始点；
７２Ａ・・・前方開放部右側開始点；７２Ｂ・・・前方開放部左側開始点；
７４・・・前方開放部終止点；
７４Ａ・・・前方開放部右側終止点；７４Ｂ・・・前方開放部左側終止点；
８０Ａ・・・大型のハンドル固定型ベビーカー；
８０Ｂ・・・小型のハンドル固定型ベビーカー；
８０Ｃ・・・ハンドル移動型ベビーカー；８０Ｄ・・・簡易型ベビーカー；
８１・・・フットレスト部；８２・・・幌部；８３・・・座席部；
８３ａ・・・座部；８３ｂ・・・背もたれ部；８３ｃ・・・右サイド覆部；
８３ｄ・・・左サイド覆部；８４・・・サイドフレーム；
８５・・・フットレスト固定部；８６・・・フットレスト固定用バー；
８７・・・ハンドル；８８・・・ハンドル側方バー；
８８Ａ・・・右側ハンドル側方バー；８８Ｂ・・・左側ハンドル側方バー；
８９・・・車輪；９０・・・フット部固定手段；９０Ａ・・・右側フット部固定手段；
９０Ｂ・・・左側フット部固定手段；９２Ａ・・・右側紐状コード材；
９２Ｂ・・・左側紐状コード材。
【図１】
2012011830.tif 000003
【図１Ａ】
2012011830.tif 000004
【図１Ｂ】
2012011830.tif 000005
【図２】
2012011830.tif 000006
【図３】
2012011830.tif 000007
【図４】
2012011830.tif 000008
【図５】
2012011830.tif 000009
【図６】
2012011830.tif 000010
【図７】
2012011830.tif 000011
【図８】
2012011830.tif 000012
【図９】
2012011830.tif 000013
【図１０】
2012011830.tif 000014
【図１１】
2012011830.tif 000015
【図１２】
2012011830.tif 000016
【図１３】
2012011830.tif 000017
【図１４】
2012011830.tif 000018
【図１５】
2012011830.tif 000019